(57)【要約】【課題】  利用者への負担の少ない、利便性に優れた公営競技情報システムを提供する。【解決手段】  利用者の投票原資口座をデータベースに格納するカード利用者データベース１５と、カード４０を使用したキャッシュレスでの投票が行われるキャッシュレス投票装置２１と、カード４０を使用した現金での上記投票原資口座への入金が可能な現金自動入出装置２４とを有する。キャッシュレス投票装置２４は、カード４０による投票を受け付けると、該受け付け時に利用者が入力した投票金額をカード利用者データベース１５に送信し、カード利用者データベース１５は、上記投票原資口座の残高からその受信した投票金額を減じる。現金自動入出装置２４は、カード４０による入金を受け付けると、該受け付け時に利用者が投入した金額をカード利用者データベース１５に送信し、カード利用者データベース１５は、上記投票原資口座の残高にその受信した投票金額を充当する。【選択図】  図１
2005092350.tif 000002
【特許請求の範囲】
【請求項１】
カード発行会社によって使用されるカード発行会社側システムと、公営競技の施行者によって使用される少なくとも１つの加盟店側システムとがネットワークを介して相互通信可能に接続された公営競技情報システムであって、
前記カード発行会社側システムは、
前記カード発行会社が発行したカードを利用する利用者の、前記公営競技における投票を行うための投票原資が少なくとも預けられる投票原資口座をデータとしてデータベースに格納するデータベースシステムを有し、
前記加盟店側システムは、
前記カードを使用したキャッシュレスでの投票が少なくとも行われるキャッシュレス投票装置と、
前記カードを使用した現金での前記投票原資口座への入金が可能な現金自動入出装置とを有し、
前記キャッシュレス投票装置が、前記カードによるキャッシュレスでの投票を受け付けると、該受け付け時に前記利用者が入力した投票金額を前記データベースシステムに送信し、前記データベースシステムが、前記投票原資口座の残高から前記キャッシュレス投票装置から受信した投票金額を減じ、該減じた後の残高を前記投票原資口座の最新の残高として前記データベースに格納し、
前記現金自動入出装置が、前記カードによる現金での前記投票原資口座への入金を受け付けると、該受け付け時に前記利用者が投入した金額を前記データベースシステムに送信し、前記データベースシステムが、前記投票原資口座の残高に前記キャッシュレス投票装置から受信した投票金額を充当し、該充当した後の残高を前記投票原資口座の最新の残高として前記データベースに格納する、公営競技情報システム。
【請求項２】
前記現金自動入出装置は、前記カードを使用した現金での前記投票原資口座からの出金が可能に構成されており、該現金自動入出装置が、前記カードによる現金での前記投票原資口座からの出金を受け付けると、該受け付け時に前記利用者が入力した引き出し額を前記データベースシステムに送信し、前記データベースシステムが、前記投票原資口座の残高から前記キャッシュレス投票装置から受信した引き出し額を減じ、該減じた後の残高を前記投票原資口座の最新の残高として前記データベースに格納する、請求項１に記載の公営競技情報システム。
【請求項３】
前記加盟店側システムは、前記カードによるキャッシュレスでの投票に対する払戻金を計算し、該計算結果を前記キャッシュレス投票装置に送信するトータリゼーター・システムをさらに有し、
前記キャッシュレス投票装置が、前記トータリゼーター・システムから受信した計算結果である払戻金額を前記データベースシステムに送信し、前記データベースシステムが、前記キャッシュレス投票装置から受信した払戻金額をデータとして前記データベースに格納する、請求項１に記載の公営競技情報システム。
【請求項４】
前記キャッシュレス投票装置は、前記カードを使用したキャッシュレスでの払戻が可能に構成されており、該キャッシュレス投票装置が、前記カードによるキャッシュレスでの払戻を受け付けると、該受け付け時に前記利用者が入力した払戻額を前記データベースシステムに送信し、前記データベースシステムが、前記データベースに格納した払戻金額の残高から前記キャッシュレス投票装置から受信した払戻額を減じ、該減じた後の残高を前記払戻金額の最新の残高として前記データベースに格納するとともに、前記投票原資口座の残高から前記キャッシュレス投票装置から受信した払戻額を充当し、該充当した後の残高を前記投票原資口座の最新の残高として前記データベースに格納する、請求項３に記載の公営競技情報システム。
【請求項５】
前記現金自動入出装置は、前記カードを使用した現金での前記データとして格納した払戻金額からの出金が可能に構成されており、該現金自動入出装置が、前記カードを使用した現金での前記データとして格納した払戻金額からの出金を受け付けると、該受け付け時に前記利用者が入力した引き出し額を前記データベースシステムに送信し、前記データベースシステムが、前記データベースに格納した払戻金額の残高から前記現金自動入出装置から受信した引き出し額を減じ、該減じた後の残高を前記払戻金額の最新の残高として前記データベースに格納する、請求項３に記載の公営競技情報システム。
【請求項６】
前記利用者によって予め銀行口座が開設された銀行によって使用される、前記カード発行会社側システムと相互通信可能に接続された銀行端末をさらに有し、
前記現金自動入出装置は、前記カードを使用した前記銀行口座から前記投票原資口座への引き落としが可能に構成されており、該現金自動入出装置が、前記カードを使用した前記銀行口座から前記投票原資口座への引き落としを受け付けると、該受け付け時に前記利用者が入力した引き落とし額を前記データベースシステムに送信し、前記データベースシステムが、前記現金自動入出装置から受信した引き落とし額を前記銀行端末に送信するとともに、前記投票原資口座の残高に前記引き落とし額を充当し、該充当した後の残高を前記投票原資口座の最新の残高として前記データベースに格納し、前記銀行端末が、予め定めた決済日に前記銀行口座から前記データベースシステムから受信した引き落とし額を引き落とす、請求項３に記載の公営競技情報システム。
【請求項７】
前記現金自動入出装置は、前記カードを使用した前記投票原資口座から前記銀行口座への振り込みが可能に構成されており、該現金自動入出装置が、前記カードを使用した前記投票原資口座から前記銀行口座への振り込みを受け付けると、該受け付け時に前記利用者が入力した振り込み額を前記データベースシステムに送信し、前記データベースシステムが、前記現金自動入出装置から受信した振り込み額を前記銀行端末に送信するとともに、前記投票原資口座の残高から前記振り込み額を減じ、該減じた後の残高を前記投票原資口座の最新の残高として前記データベースに格納し、前記銀行端末が、予め定めた決済日に前記銀行口座の残高に前記データベースシステムから受信した振り込み額を充当する、請求項６に記載の公営競技情報システム。
【請求項８】
前記データベースシステムは、前記カードを使用したキャッシュレスでの投票の内容として投票金額、投票回数、投票の日時を前記データベースに格納し、
前記カード発行会社側システムは、一定期間毎に、前記データベースに格納された前記投票金額、投票回数および投票の日時から予め定めた条件に応じた特典ポイントを計算し、該計算した特典ポイントを金額に換算して前記データベースシステムに送信する付加価値サービス・システムをさらに有し、
前記データベースシステムが、前記投票原資口座の残高に前記付加価値サービス・システムから受信した換算金額を充当し、該充当した後の残高を前記投票原資口座の最新の残高として前記データベースに格納する、請求項１に記載の公営競技情報システム。
【請求項９】
前記カード発行会社側システムと相互通信可能に接続された、業者によって使用される加盟店端末をさらに有し、
前記加盟店端末は、前記カードを使用した前記投票原資口座からのカード決済が可能に構成されており、該加盟店端末が、前記カード決済を受け付けると、該受け付け時に入力されるカード決済額を前記データベースシステムに送信し、前記データベースシステムが、前記投票原資口座の残高から前記加盟店端末から受信したカード決済額を減じ、該減じた後の残高を前記投票原資口座の最新の残高として前記データベースに格納する、請求項１に記載の公営競技情報システム。
【請求項１０】
カード発行会社によって使用されるカード発行会社側システムと、公営競技の施行者によって使用される少なくとも１つの加盟店側システムとがネットワークを介して相互通信可能に接続された公営競技情報システムにおいて行われるキャッシュレス投票／払戻方法であって、
前記カード発行会社側システムに備えられたデータベースシステムが、前記カード発行会社が発行したカードを利用する利用者の、前記公営競技における投票を行うための投票原資が少なくとも預けられる投票原資口座をデータとしてデータベースに格納するステップと、
前記加盟店側システムに備えられたキャッシュレス投票装置が、前記カードによるキャッシュレスでの投票を受け付けると、該受け付け時に前記利用者が入力した投票金額を前記データベースシステムに送信するステップと、
前記データベースシステムが、前記投票原資口座の残高から前記キャッシュレス投票装置から受信した投票金額を減じ、該減じた後の残高を前記投票原資口座の最新の残高として前記データベースに格納するステップと、
前記加盟店側システムに備えられた現金自動入出装置が、前記カードによる現金での前記投票原資口座への入金を受け付けると、該受け付け時に前記利用者が投入した金額を前記データベースシステムに送信するステップと、
前記データベースシステムが、前記投票原資口座の残高に前記キャッシュレス投票装置から受信した投票金額を充当し、該充当した後の残高を前記投票原資口座の最新の残高として前記データベースに格納するステップとを含む、キャッシュレス投票／払戻方法。
【請求項１１】
前記現金自動入出装置が、前記カードによる現金での前記投票原資口座からの出金を受け付けると、該受け付け時に前記利用者が入力した引き出し額を前記データベースシステムに送信するステップと、
前記データベースシステムが、前記投票原資口座の残高から前記キャッシュレス投票装置から受信した引き出し額を減じ、該減じた後の残高を前記投票原資口座の最新の残高として前記データベースに格納するステップとをさらに含む、請求項１０に記載のキャッシュレス投票／払戻方法。
【請求項１２】
前記加盟店側システムに備えられたトータリゼーター・システムが、前記カードによるキャッシュレスでの投票に対する払戻金を計算し、該計算結果を前記キャッシュレス投票装置に送信するステップと、
前記キャッシュレス投票装置が、前記トータリゼーター・システムから受信した計算結果である払戻金額を前記データベースシステムに送信するステップと、
前記データベースシステムが、前記キャッシュレス投票装置から受信した払戻金額をデータとして前記データベースに格納するステップとをさらに含む、請求項１０に記載のキャッシュレス投票／払戻方法。
【請求項１３】
前記キャッシュレス投票装置が、前記カードによるキャッシュレスでの払戻を受け付けると、該受け付け時に前記利用者が入力した払戻額を前記データベースシステムに送信するステップと、
前記データベースシステムが、前記データベースに格納した払戻金額の残高から前記キャッシュレス投票装置から受信した払戻額を減じ、該減じた後の残高を前記払戻金額の最新の残高として前記データベースに格納するとともに、前記投票原資口座の残高から前記キャッシュレス投票装置から受信した払戻額を充当し、該充当した後の残高を前記投票原資口座の最新の残高として前記データベースに格納するステップとをさらに含む、請求項１２に記載のキャッシュレス投票／払戻方法。
【請求項１４】
前記現金自動入出装置が、前記カードを使用した現金での前記データとして格納した払戻金額からの出金を受け付けると、該受け付け時に前記利用者が入力した引き出し額を前記データベースシステムに送信するステップと、
前記データベースシステムが、前記データベースに格納した払戻金額の残高から前記現金自動入出装置から受信した引き出し額を減じ、該減じた後の残高を前記払戻金額の最新の残高として前記データベースに格納するステップとをさらに含む、請求項１２に記載のキャッシュレス投票／払戻方法。
【請求項１５】
前記現金自動入出装置が、前記カードを使用した、前記利用者によって予め開設された銀行口座から前記投票原資口座への引き落としを受け付けると、該受け付け時に前記利用者が入力した引き落とし額を前記データベースシステムに送信するステップと、
前記データベースシステムが、前記現金自動入出装置から受信した引き落とし額を前記銀行口座が開設された銀行によって使用される銀行端末に送信するとともに、前記投票原資口座の残高に前記引き落とし額を充当し、該充当した後の残高を前記投票原資口座の最新の残高として前記データベースに格納するステップと、
前記銀行端末が、予め定めた決済日に前記銀行口座から前記データベースシステムから受信した引き落とし額を引き落とすステップとをさらに含む、請求項１０に記載のキャッシュレス投票／払戻方法。
【請求項１６】
前記現金自動入出装置が、前記カードを使用した前記投票原資口座から前記銀行口座への振り込みを受け付けると、該受け付け時に前記利用者が入力した振り込み額を前記データベースシステムに送信するステップと、
前記データベースシステムが、前記現金自動入出装置から受信した振り込み額を前記銀行端末に送信するとともに、前記投票原資口座の残高から前記振り込み額を減じ、該減じた後の残高を前記投票原資口座の最新の残高として前記データベースに格納するステップと、
前記銀行端末が、予め定めた決済日に前記銀行口座に前記データベースシステムから受信した振り込み額を充当するステップとをさらに含む、請求項１５に記載のキャッシュレス投票／払戻方法。
【請求項１７】
前記データベースシステムが、前記カードを使用したキャッシュレスでの投票の内容として投票金額、投票回数、投票の日時を前記データベースに格納するステップと、
前記カード発行会社側システムに備えられた付加価値サービス・システムが、一定期間毎に、前記データベースに格納された前記投票金額、投票回数および投票の日時から予め定めた条件に応じた特典ポイントを計算し、該計算した特典ポイントを金額に換算して前記データベースシステムに送信するステップと、
前記データベースシステムが、前記投票原資口座の残高に前記付加価値サービス・システムから受信した換算金額を充当し、該充当した後の残高を前記投票原資口座の最新の残高として前記データベースに格納するステップとをさらに含む、請求項１０に記載のキャッシュレス投票／払戻方法。
【請求項１８】
前記カード発行会社側システムと相互通信可能に接続された加盟店端末が、前記カードを使用した前記投票原資口座からのカード決済を受け付けると、該受け付け時に入力されるカード決済額を前記データベースシステムに送信するステップと、
前記データベースシステムが、前記投票原資口座の残高から前記加盟店端末から受信したカード決済額を減じ、該減じた後の残高を前記投票原資口座の最新の残高として前記データベースに格納するステップとをさらに含む、請求項１０に記載のキャッシュレス投票／払戻方法。
【請求項１９】
カード発行会社によって使用されるカード発行会社側システムと、公営競技の施行者によって使用される少なくとも１つの加盟店側システムとがネットワークを介して相互通信可能に接続された公営競技情報システムにおいて用いられるプログラムであって、
前記カード発行会社が発行したカードを利用する利用者の、前記公営競技における投票を行うための投票原資が少なくとも預けられる投票原資口座をデータとしてデータベースに格納させる処理を、前記カード発行会社側システムに備えられたデータベースシステムのコンピュータに実行させ、
前記カードによるキャッシュレスでの投票を受け付けると、該受け付け時に前記利用者が入力した投票金額を前記データベースシステムに送信する処理を、前記加盟店側システムに備えられたキャッシュレス投票装置のコンピュータに実行させ、
前記投票原資口座の残高から前記キャッシュレス投票装置から受信した投票金額を減じ、該減じた後の残高を前記投票原資口座の最新の残高として前記データベースに格納させる処理を、前記データベースシステムのコンピュータに実行させ、
前記カードによる現金での前記投票原資口座への入金を受け付けると、該受け付け時に前記利用者が投入した金額を前記データベースシステムに送信する処理を、前記加盟店側システムに備えられた現金自動入出装置のコンピュータに実行させ、
前記投票原資口座の残高に前記キャッシュレス投票装置から受信した投票金額を充当し、該充当した後の残高を前記投票原資口座の最新の残高として前記データベースに格納させる処理を、前記データベースシステムのコンピュータに実行させるプログラム。
【発明の詳細な説明】
【技術分野】
【０００１】
本発明は、競馬、競艇、競輪、オートレース等の種類の公営競技において用いられる公営競技情報システムに関する。さらには、本発明は、そのようなシステムおいて用いられるキャッシュレス投票／払戻方法およびプログラムに関する。
【背景技術】
【０００２】
公営競技では、携帯電話や専用端末を使用して投票を行うことができる「電話投票」や「在宅投票」が普及しており、また、最近では、パーソナル・コンピュータ等の情報処理機器からインターネットを介して投票する「インターネット投票」も採用されつつある。これらの投票方式は、いずれもキャッシュレスで投票を行うものであり、予め開設しておいた投票／払戻専用の銀行口座から投票券の購入金額が引き落とされ、払戻金が同銀行口座へ振り込まれるようになっている（例えば特許文献１）。
【０００３】
「キャッシュレス投票」としては、上記の他、公営競技の施行者（以下、単に施行者と記す）が使用するシステム上で、利用者が指定した銀行口座から投票原資となる金額が振り込まれる仮口座を設け、この仮口座に払戻金が加算されるようにしたものもある（特許文献２）。このシステムでは、仮口座の残額の範囲内で投票を行うことができる。
【０００４】
また、利用者が、端末装置を使用して、公営競技投票システムサーバへアクセスして、指定した金額が設定された電子プリペードカードを取得し、その電子プリペードカードを使用してキャッシュレスでの投票および払戻を行うものある（特許文献３）。このシステムでは、電子プリペードカードの残高の範囲内で投票を行うことができる。
【特許文献１】特開平１−１８５７８９号公報
【特許文献２】特開２００２−１５２５３号公報
【特許文献３】特開２００２−１３３０１０号公報
【発明の開示】
【発明が解決しようとする課題】
【０００５】
しかし、上述した従来の投票システムには、以下のような問題がある。
【０００６】
投票／払戻専用の銀行口座を用いるものにおいては、公営競技の開催期間中は、銀行口座の入出金が禁止されるので、投票原資の補充を行うことができず、残高が少なくなってキャッシュレス投票を行うことができなくことがある。
【０００７】
また、競技場に出向いてキャッシュレス投票を行うような場合に、銀行口座から現金を引き出すことができないと、食事や買い物など投票以外で現金を使用したい場合に、手元に常に現金を用意しておく必要があり、非常に不便である。
【０００８】
加えて、通常の現金での投票で払戻を受けるような場合に、銀行口座への入金ができないと、その払戻金を所持したまま過ごすことになり、利用者は払戻金の盗難などの危険にさらされることになる。
【０００９】
さらに、銀行口座を投票／払戻以外の目的、例えばクレジット・カード取引やデビット・カード取引のようなカード決済用の口座として使用することができないので、口座の利用にあたっての不便さがある。
【００１０】
施行者側で仮口座を設定するものにおいては、仮口座の投票原資を他の施行者によって開催されている公営競技に使用することができないため、利便性に欠ける。
【００１１】
また、銀行口座に残高がない場合、投票原資を補充するためには、まず、一般の現金自動入出装置（ＡＴＭ）から銀行口座に入金し、その後、銀行口座から仮口座への口座振替を行う、といった手順を踏む必要があり、非常に面倒である。同様に、払戻金を現金で受け取るには、まず、仮口座に振り込まれた払戻金を銀行口座へ振り込み、その後に、一般の現金自動入出装置（ＡＴＭ）を使用してその銀行口座から払戻金を引き出す、といった手順を踏む必要があり、非常に面倒である。
【００１２】
さらに、仮口座は運用が終了すると破棄されるため、再びサービスを受けるためには、利用者は、仮口座を開設するための何らかの処理を専用端末上で行う必要があり、非常に面倒である。
【００１３】
さらに、サービスを受けるには、利用者は、端末装置およびソフトウェアを入手する必要があり、コスト面での利用者への負担が大きい。
【００１４】
電子プリペードカードを利用するものにおいては、電子プリペードカードを他の施行者によって管理されているシステムで使用することはできないため、利便性に欠ける。
【００１５】
また、電子プリペードカードはその残高が無くなると無効にされるので、無効となった場合または決済した場合は、再度、電子プリペードカードを取得する必要があり、非常に面倒である。
【００１６】
さらに、払戻金を現金で受け取るには、まず、電子プリペードカードを決済し、その後に、一般の現金自動入出装置（ＡＴＭ）を使用してその銀行口座から払戻金を引き出す、といった手順を踏む必要があり、非常に面倒である。
【００１７】
さらに、サービスを受けるには、利用者は、端末装置およびソフトウェアを入手する必要があり、コスト面での利用者への負担が大きい。
【００１８】
本発明の目的は、上記の問題を解決し、利用者への負担の少ない、利便性に優れた、公営競技情報システムおよびキャッシュレス投票／払戻方法ならびプログラムを提供することにある。
【課題を解決するための手段】
【００１９】
本発明の主な特徴は、カード発行会社によって使用されるカード発行会社側システムと、公営競技の施行者によって使用される少なくとも１つの加盟店側システムとがネットワークを介して相互通信可能に接続された公営競技情報システムにおいて、前記カード発行会社側システムに備えられたデータベースシステムが、前記カード発行会社が発行したカードを利用する利用者の、前記公営競技における投票を行うための投票原資が少なくとも預けられる投票原資口座をデータとしてデータベースに格納し、前記加盟店側システムに備えられたキャッシュレス投票装置が、前記カードによるキャッシュレスでの投票を受け付けると、該受け付け時に前記利用者が入力した投票金額を前記データベースシステムに送信し、前記データベースシステムが、前記投票原資口座の残高から前記キャッシュレス投票装置から受信した投票金額を減じ、該減じた後の残高を前記投票原資口座の最新の残高として前記データベースに格納し、前記加盟店側システムに備えられた現金自動入出装置が、前記カードによる現金での前記投票原資口座への入金を受け付けると、該受け付け時に前記利用者が投入した金額を前記データベースシステムに送信し、前記データベースシステムが、前記投票原資口座の残高に前記キャッシュレス投票装置から受信した投票金額を充当し、該充当した後の残高を前記投票原資口座の最新の残高として前記データベースに格納するようにした点にある。この場合、前記現金自動入出装置が、前記カードによる現金での前記投票原資口座からの出金を受け付けると、該受け付け時に前記利用者が入力した引き出し額を前記データベースシステムに送信し、前記データベースシステムが、前記投票原資口座の残高から前記キャッシュレス投票装置から受信した引き出し額を減じ、該減じた後の残高を前記投票原資口座の最新の残高として前記データベースに格納するようにしてもよい。
【００２０】
上記の構成によれば、利用者は、専用の端末やソフトウェアを購入する必要がなく、カードを取得するだけで、キャッシュレスでの投票および払戻を行うことができる。
【００２１】
また、投票原資口座はカード発行会社側システム上に設けられており、カード発行会社側システムは、別々の施行者によって使用される複数の加盟店側システムとの間で相互通信が可能であることから、利用者は、１つのカードで、それら加盟店側システム上で、それぞれの施行者が運営する公営競技におけるキャッシュレスでの投票および払戻を行うことができる。公営競技毎に、カードを取得する必要はない。
【００２２】
さらに、カード発行会社側システム上に投票原資口座を開設することで、公営競技の開催期間中であっても、現金による投票原資口座への入金および投票原資口座からの出金が可能である。加えて、投票原資を補充する場合に、一般の現金自動入出装置（ＡＴＭ）から銀行口座に入金して口座振替による補充する、といった手順を踏む必要もない。さらに加えて、投票原資口座から指定金額を引き出して一般の現金による投票を行ったり、その払戻金を投票原資口座へ入金したりすることも可能である。
【００２３】
また、投票原資口座は、利用者がカード利用契約の解約を行わない限りは、データベース上に存在し、従来の仮口座や電子プリペードカードのように決済の度に破棄されることはない。よって、当日に精算する必要もない。
【００２４】
本発明の別の特徴は、前記加盟店側システムに備えられたトータリゼーター・システムが、前記カードによるキャッシュレスでの投票に対する払戻金を計算し、該計算結果を前記キャッシュレス投票装置に送信し、前記キャッシュレス投票装置が、前記トータリゼーター・システムから受信した計算結果である払戻金額を前記データベースシステムに送信し、前記データベースシステムが、前記キャッシュレス投票装置から受信した払戻金額をデータとして前記データベースに格納する点にある。この特徴によれば、払戻金はデータベース上に維持されるので、当日、払戻金を当日に精算する必要がなくなる。
【００２５】
本発明の他の特徴は、前記キャッシュレス投票装置が、前記カードによるキャッシュレスでの払戻を受け付けると、該受け付け時に前記利用者が入力した払戻額を前記データベースシステムに送信し、前記データベースシステムが、前記データベースに格納した払戻金額の残高から前記キャッシュレス投票装置から受信した払戻額を減じ、該減じた後の残高を前記払戻金額の最新の残高として前記データベースに格納するとともに、前記投票原資口座の残高から前記キャッシュレス投票装置から受信した払戻額を充当し、該充当した後の残高を前記投票原資口座の最新の残高として前記データベースに格納するようにした点にある。この特徴によれば、キャッシュレスでの払戻金の投票原資への充当が可能となる。
【００２６】
本発明の他の特徴は、前記現金自動入出装置が、前記カードを使用した現金での前記データとして格納した払戻金額からの出金を受け付けると、該受け付け時に前記利用者が入力した引き出し額を前記データベースシステムに送信し、前記データベースシステムが、前記データベースに格納した払戻金額の残高から前記現金自動入出装置から受信した引き出し額を減じ、該減じた後の残高を前記払戻金額の最新の残高として前記データベースに格納するようにした点にある。この特徴によれば、キャッシュレスでの払戻において、その払戻金を現金で引き出すことが可能となる。
【００２７】
本発明の他の特徴は、前記データベースシステムが、前記カードを使用したキャッシュレスでの投票の内容として投票金額、投票回数、投票の日時を前記データベースに格納し、前記カード発行会社側システムに備えられた付加価値サービス・システムが、一定期間毎に、前記データベースに格納された前記投票金額、投票回数および投票の日時から予め定めた条件に応じた特典ポイントを計算し、該計算した特典ポイントを金額に換算して前記データベースシステムに送信し、前記データベースシステムが、前記投票原資口座の残高に前記付加価値サービス・システムから受信した換算金額を充当し、該充当した後の残高を前記投票原資口座の最新の残高として前記データベースに格納するようにした点にある。この特徴によれば、カードを利用したキャッシュレス投票／払戻を行うと投資原資に特典ポイントに応じた額が加算されるので、利用者の投票意欲を掻き立てることができる。
【００２８】
本発明の他の特徴は、前記カード発行会社側システムと相互通信可能に接続された加盟店端末が、前記カードを使用した前記投票原資口座からのカード決済を受け付けると、該受け付け時に入力されるカード決済額を前記データベースシステムに送信し、前記データベースシステムが、前記投票原資口座の残高から前記加盟店端末から受信したカード決済額を減じ、該減じた後の残高を前記投票原資口座の最新の残高として前記データベースに格納するようにした点にある。この特徴によれば、投票原資口座を利用したカード決済を行うことが可能となる。
【発明の効果】
【００２９】
以上のとおり、本発明によれば、利用者は、専用の端末やソフトウェアを購入する必要がないので、利用者への負担がより少ないシステムを提供することができる。
【００３０】
また、利用者は、同じカードで、異なる施行者が運営する公営競技におけるキャッシュレスでの投票および払戻を行うことができるので、利便性の高いシステムを提供することができる。
【００３１】
さらに、投票原資口座および払戻金額は、利用者がカード利用契約の解約を行わない限りは、データベース上で保持されることから、当日に精算する必要がなくなり、これによりさらに利便性が向上する。例えば、払戻金を投票日以降の所望の日に受け取ることができるので、利用者に対する利便性がより向上する。
【００３２】
また、カード発行会社側システム上に投票原資口座を設け、その投票原資口座への現金による直接の入金を可能としたことで、利用者は、開催期間中であっても、現金による投票原資の補充を簡単に行うことができる。
【００３３】
さらに、キャッシュレスでの払戻を行った場合でも、その払戻金を自由に現金で引き出すことができるので、利用者に対する利便性がより向上する。
【００３４】
さらに、投票原資口座を利用したカード決済を行うことができるので、利用者に対する利便性がさらに向上する。具体的には、カード発行会社とカード・ビジネス契約を行っている加盟店（施行者以外）において、投票原資をもって商品やサービスの買い入れを行うことができる。
【発明を実施するための最良の形態】
【００３５】
図１に、本発明の一実施形態である公営競技情報システムの概略構成を示す。この公営競技情報システムは、カード発行会社によって使用されるカード発行会社側システム１０と、公営競技の施行者によって使用される加盟店側システム２０と、銀行によって使用される銀行端末３０とがネットワークを介して相互通信可能に接続されたものであって、カード発行会社が発行したカード４０を利用してキャッシュレスでの投票および払戻が可能になっている。
【００３６】
カード発行会社側システム１０は、カード利用契約システム１１、銀行口座振替システム１２、アカウント管理システム１３および付加価値サービス・システム１４の複数のコンピュータ・ネットワーク・システムを備え、これらシステムがカード利用者データベース１５に接続されている。ここで、コンピュータ・ネットワーク・システムとは、サーバに代表されるコンピュータ・システムであり、プログラムなどを蓄積する記憶装置、キーボードやマウスなどの入力装置、ＣＲＴやＬＣＤなどの表示装置、外部との通信を行うモデムなどの通信装置、プリンタなどの出力装置および入力装置からの入力を受け付けて通信装置、出力装置、表示装置の動作を制御する制御装置から構成されている。
【００３７】
カード利用契約システム１１は、利用者へのカード利用契約の締結を支援するシステムであって、利用者からのカード利用の申込を受け付けて、カード利用者データベース１５への利用者登録やカード発行に必要な処理を行う。利用者は、例えばインターネットへの接続が可能な端末上でカード利用契約システム１１にアクセスしてカード利用契約に必要な情報の入力を行う。カード利用契約の承諾は、カードの発行をもって行う。承諾された利用者に対しては、キャッシュレス投票を行うための投票原資口座がカード利用者データベース１５上に開設される。発行したカードは、例えば郵送により利用者へ送付される。また、カード発行会社がカード利用契約システム１１と専用回線により接続されたカード発行装置を予め定めた場所に設置し、利用者が、そのカード発行装置上でカード発行に必要な情報を入力するようにしてもよい。この場合は、利用者は、カード発行装置からカードを即座に受け取ることができる。利用者に開設する投票原資口座の残高の枠の上限、下限やカードの利用有効期限は、通常、無制限とするが、これら上限、期限は予め設定することも可能である。
【００３８】
銀行口座振替システム１２は、例えば専用回線を介して銀行端末３０と接続されており、利用者が予め開設しておいた銀行口座（指定口座）と投票原資口座の間での指定された金額の振替を行う。利用者は、カード４０を利用してそのような口座振り替えを行うことができる。
【００３９】
アカウント管理システム１３は、カード利用契約の履行を支援するシステムの一部であって、利用者によるカード４０を利用した投票原資口座の入出金額（現金での直接の引き出しおよび預け入れ、指定銀行口座からの引き落とし、指定銀行口座への振り込みを含む）およびその残高、キャッシュレス投票の金額・回数・日時、払戻の金額・回数、払戻金の投票原資への充当日時などの管理を行う。
【００４０】
カード利用者データベース１５は、データベース（ファイル）とデータベース管理システムで構成されるデータベースシステムであって、カード利用者に関する情報や、投票原資口座の入出金額およびその残高、キャッシュレス投票の金額・回数・日時、払戻金額・回数、払戻金の投票原資への充当日時などのデータがデータベースに格納される。上記のアカウント管理システム１３は、データベース管理システムの１つである。
【００４１】
付加価値サービス・システム１４は、カード利用契約の履行を支援するシステムの一部であって、カード利用者データベース１５に格納されているキャッシュレス投票の金額・回数・日時などから特典ポイントを計算し、その計算した特典ポイントを金銭に変換したり、その変換した金銭を投票原資へ充当したりする。
【００４２】
加盟店側システム２０は、キャッシュレス投票装置２１、キャッシュレス投票システム２２、トータリゼーター・システム２３、現金自動入出装置２４およびキャッシュレス払戻システム２５からなる。キャッシュレス投票システム２２、トータリゼーター・システム２３およびキャッシュレス払戻システム２５はコンピュータ・ネットワーク・システムであって、それぞれキャッシュレス投票装置２１に接続されている。キャッシュレス払戻システム２５は、現金自動入出装置２４にも接続されている。キャッシュレス投票装置２１および現金自動入出装置２４は、カード利用者データベース１５に接続されている。
【００４３】
キャッシュレス投票装置２１および現金自動入出装置２４は、施行者が予め定めた場所（競技場やコンビニエンスストアーなど）に設置されている。利用者は、キャッシュレス投票装置２１上で、カード４０を利用したキャッシュレスでの投票や払戻を行うことができる。また、利用者は、現金自動入出装置２４上で、カード４０を利用した、投票原資口座からの現金の引き出し、投票原資口座への現金による振り込みを行うことができる。現金自動入出装置２４とキャッシュレス投票装置２１は異なる場所に設置されても良いが、通常は一緒に設置される。
【００４４】
キャッシュレス投票システム２２は、カード４０を利用したキャッシュレス投票を実行するためのシステムであって、利用者がカード４０をキャッシュレス投票装置２１に挿入してキャッシュレス投票を行う旨の入力を行うことで起動される。このキャッシュレス投票システム２２の起動により、キャッシュレス投票装置２１において、キャッシュレス投票処理が実行される。キャッシュレス投票処理では、キャッシュレス投票装置２１が、暗証番号の確認やカード利用者データベース１５を介した利用者の正当性の確認を行ったり、カード利用者データベース１５から利用者の投票原資口座の残高を取得し、その取得した残高の範囲内において、利用者によるキャッシュレス投票を受け付けたりする。また、キャッシュレス投票装置２１が、受け付けたキャッシュレス投票の内容・金額・日時をカード利用者データベース１５およびトータリゼーター・システム２３に送信して格納させる。さらに、キャッシュレス投票装置２１が、トータリゼーター・システム２３から受信した払戻金額を競技結果と一緒にカード利用者データベース１５に送信して格納させる。
【００４５】
キャッシュレス払戻システム２５は、カード４０を利用したキャッシュレス払戻を実行するためのシステムであって、利用者がカード４０をキャッシュレス投票装置２１または現金自動入出装置２４に挿入してキャッシュレスまたは現金での払戻を行う旨の入力を行うことで起動される。このキャッシュレス払戻システム２５の起動により、キャッシュレス投票装置２１または現金自動入出装置２４においてキャッシュレス払戻処理が実行され、または、現金自動入出装置２４において現金による払戻処理が実行される。キャッシュレス払戻処理では、キャッシュレス投票装置２１または現金自動入出装置２４が、暗証番号の確認やカード利用者データベース１５を介した利用者の正当性の確認を行った後に、カード利用者データベース１５から利用者の払戻金額の残高を取得し、その取得した残高の範囲内において、利用者によるキャッシュレス払戻（払戻金の投票原資口座への充当）を受け付ける。現金による払戻処理では、現金自動入出装置２４が、同様な暗証番号や正当性の確認を行った後に、カード利用者データベース１５から利用者の払戻金額の残高を取得し、その取得した残高の範囲内において、利用者が指定した金額を自装置内に予め用意されている現金から支払う。
【００４６】
トータリゼーター・システム２３は、投票券（馬券、車券、舟券など）の発売・払戻・集計を管理する既存のシステムであって、キャッシュレス投票装置２１から供給されたキャッシュレス投票の内容・金額・日時に基づいて払戻金額の計算を行うとともに、その結果（払戻金額）を競技結果とともにキャッシュレス投票装置２１へ供給する。
【００４７】
次に、本実施形態の公営競技情報システムの具体的な動作について説明する。
【００４８】
本実施形態のキャッシュレス投票／払戻システムでは、まず事前契約として、
・カード発行会社と施行者（加盟店）の間のカード・ビジネス契約
・利用者とカード発行会社の間のカード利用契約
・利用者とカード発行会社と銀行との間の口座振替契約
の３つの契約を締結する必要がある。ここで、カード発行会社とは、前払式証票の規制等に関する法律（平成元年１２月２２日法律第９２号）に基づく第三者型発行者であって、閣総理大臣への登録により設立される。
【００４９】
カード・ビジネス契約では、施行者が、カード発行会社に対して、当該カード発行会社が提供している、カードを利用したキャッシュレスでの投票および払戻を含む種々のサービスを受けるための申し込みを行う。カード発行会社がこれを承諾することで、加盟店契約を締結する。これにより、施行者とカード発行会社の間で、キャッシュレス投票、キャッシュレス払戻、現金引き出し、および現金預入れなどのカードを利用した投資原資口座の入出金に関する決済が可能になる。
【００５０】
カード利用契約では、利用者が、カード利用契約システム１１を利用して、投票原資口座を設ける旨の申し込みを行うとともに、カード発行に必要な情報（住所、氏名、暗証番号など）を入力する。カード利用契約システム１１は、入力情報に基づいて自動審査（例えば個人信用情報機関を利用した審査）を行い、適正であれば、属性情報（利用者の住所、氏名など）および暗証番号をカード発行装置に供給する。カード発行装置は、その供給された属性情報および暗証番号をカード利用者データベース１５に送信する。カード利用者データベース１５は、属性情報および暗証番号を受信すると、登録番号を付けて、受信した属性情報および暗証番号とともに格納するとともに、その登録番号をカード発行装置に送信する。カード発行装置は、受信した登録番号と暗証番号の情報を電磁的に書き込んだカードを発行する。このカードの自動発行に代えて、予め配布された契約用紙に必要事項を記入したものをカード発行会社に郵送してもよい。
【００５１】
なお、発行したカードの所有権はカード発行会社にあり、カード発行会社が利用者に対してカードを貸与（使用貸借）するものとする。また、カードは投票原資口座を使用する権利を持つ者を物体的に照明するものであり、カード内に電磁的に格納される情報は、利用者を識別するために一意に付与される登録番号と利用者が提示した暗証番号の２つである。これ以外の情報、例えば入出金の履歴や残高金額、投票金額や払戻金の投票原資への充当履歴などの情報はカード内に格納しないものとする。
【００５２】
口座振替契約では、まず、利用者が、カード発行会社に対して、銀行取引契約を締結した銀行に予め開設してある銀行口座を指定して、この指定銀行口座からの投票原資口座への引き落としおよび投票原資口座から指定銀行口座への振り替えを行うサービスを受けるための申し込みを行う。カード発行会社は、利用者からの申し込みを受け付けると、本人名義の銀行通帳など検証し、適正であれば、承諾する。承諾後、カード発行会社は、指定された銀行に対して利用者について口座振替契約を結びたい旨を申し込む。銀行は、カード発行会社および利用者の審査を行い、適正であれば、承諾する。こうして口座振替契約が、利用者−カード発行会社−銀行の間で締結される。この口座振替契約により、指定銀行口座の残高の一部または全部を投資原資口座へ振り込んだり、投資原資口座の残高の一部または全部を指定銀行口座へ振り込んだりすることが可能となる。
【００５３】
上述した事前契約を結んだ後、以下のような投票原資口座の入出金処理、キャッシュレス投票処理、キャッシュレス払戻処理、現金による払戻処理、付加価値サービス処理および口座振替処理が行われる。
【００５４】
（１）投票原資口座の入出金処理
（１−ａ）利用者による入金
利用者が現金自動入出装置２４上でカード４０を挿入して投票原資口座へ入金したい旨の入力を行うと、アカウント管理システム１３が起動し、現金自動入出装置２４とカード利用者データベース１５の間で以下のような手順による入金処理が実行される。
【００５５】
まず、現金自動入出装置２４が、暗証番号の入力を要求するメッセージを表示する。利用者が、その要求に応じて暗証番号を入力すると、現金自動入出装置２４は、利用者が入力した暗証番号が挿入されたカード４０から読み取った暗証番号と合致するかどうかを調べる（暗証番号確認）。合致した場合は、現金自動入出装置２４は、その暗証番号を挿入されたカード４０から読み取った登録番号と一緒にカード利用者データベース１５に送信して本人確認（正当性の判断）のための問い合わせを行う。合致しなかった場合は、現金自動入出装置２４は、入力した暗証番号が間違えている旨のメッセージを表示し、再度、利用者に対して暗証番号の入力を要求する。暗証番号の再入力が可能な回数は、例えば３回までである。
【００５６】
カード利用者データベース１５は、現金自動入出装置２４から受信した登録番号および暗証番号が予め格納されている登録番号および暗証番号と合致するかを調べ、その結果を現金自動入出装置２４に送信する。合致した旨を受信した場合は、現金自動入出装置２４は、利用者に対して現金の投入を要求し、この要求に応じて利用者が投入した現金の計数を行ってその結果をカード利用者データベース１５に送信する。合致しなかった旨を受信した場合は、現金自動入出装置２４は、利用者に対してカードの利用ができない旨のメッセージを表示するとともに、挿入されたカードを利用者に返却する。
【００５７】
カード利用者データベース１５は、現金自動入出装置２４から受信した計数結果である金額を利用者の投票原資口座の残高に充当し、充当後の残高を投票原資口座の最新の残高として格納するとともに、充当が完了した旨の通知をその最新の残高と一緒に現金自動入出装置２４に送信する。現金自動入出装置２４は、カード利用者データベース１５から充当が完了した旨の通知を受信すると、充当が正常に終了した旨をカード利用者データベース１５から受信した最新の残高と一緒に出力（メッセージによる表示または記録紙の出力）するとともに、挿入されたカードを利用者に返却する。
【００５８】
以上の処理によれば、利用者は、公営競技の開催期間中であっても、自由に投票原資口座への現金による充当および預け入れを行うことができる。よって、投票原資が不足した場合には、手持ちの現金を投票原資へ充当することができる。また、払戻金を現金で受け取った場合には、その払戻金を投票原資口座へ預けることができ、大金を手元に置く必要がなくなる。
【００５９】
（１−ｂ）利用者による出金
利用者が現金自動入出装置２４上でカード４０を挿入して投票原資口座から現金を引き出したい旨の入力を行うと、アカウント管理システム１３が起動し、現金自動入出装置２４とカード利用者データベース１５の間で以下のような手順による出金処理が実行される。
【００６０】
まず、現金自動入出装置２４が、上述した暗証番号確認および本人確認を行った後、利用者の投票原資口座の残高をカード利用者データベース１５へ問い合わせる。この問い合せに応じて、カード利用者データベース１５が利用者の投票原資口座の残高を現金自動入出装置２４に送信する。キャッシュレス投票装置２１は、カード利用者データベース１５から受信した残高の範囲内で、利用者による引き出しを受け付ける。
【００６１】
利用者が、現金自動入出装置２４上で、残高の範囲内で引き出し額を入力すると、現金自動入出装置２４は、その入力された引き出し額をカード利用者データベース１５に送信する。カード利用者データベース１５は、投票原資口座の残高から現金自動入出装置２４から受信した引き出し額を減じ、減じた後の残高を投票原資口座の最新の残高として格納するとともに、引き出しが完了した旨の通知をその最新の残高と一緒に現金自動入出装置２４に送信する。
【００６２】
現金自動入出装置２４は、カード利用者データベース１５から引き出しが完了した旨の通知を受信すると、自装置内に予め用意されている現金から引き出し額に相当する現金を取り出して現金取り出し口にセットするとともに、カード利用者データベース１５から受信した最新の残高を記載した記録紙を出力する。なお、利用者が投票原資口座の残高を超える引き出し額を入力した場合は、現金自動入出装置２４は、残高が不足している旨のメッセージを表示する。
【００６３】
以上の処理によれば、利用者は、現金自動入出装置２４の稼働期間（通常は２４時間）であれば、現金自動入出装置２４から自由に投票原資を引き出すことができるので、現金を持ち歩く必要がなくなる。
【００６４】
（１−ｃ）施行者への投票金の出金
キャッシュレス投票装置２１は、上述の暗証番号確認および本人確認の後、利用者によるカードを利用したキャッシュレス投票（詳しくは後述する）の開始を受け付けると、その利用者の投票原資口座の残高をカード利用者データベース１５へ問い合わせる。カード利用者データベース１５は、その問い合せに応じて、利用者の投票原資口座の残高をキャッシュレス投票装置２１に返す。キャッシュレス投票装置２１は、カード利用者データベース１５から受信した残高の範囲内で、利用者による投票金額の入力を受け付ける。
【００６５】
利用者が入力した投票金額を受け付けると、キャッシュレス投票装置２１は、その投票金額をカード利用者データベース１５に送信する。カード利用者データベース１５は、投票原資口座の残高からキャッシュレス投票装置２１から受信した投票金額を減じ、減じた後の残高を投票原資口座の新たな残高として格納するとともに、その新たな残高をキャッシュレス投票装置２１に送信する。
【００６６】
（１−ｄ）施行者からの払戻金の入金
現金自動入出装置２４またはキャッシュレス投票装置２１は、上述の暗証番号確認および本人確認の後、利用者によるカードを利用したキャッシュレス払戻（詳しくは後述する）の開始を受け付けると、その利用者の払戻金額の残高をカード利用者データベース１５へ問い合わせる。カード利用者データベース１５は、その問い合せに応じて、利用者の払戻金額の残高をキャッシュレス投票装置２１に返す。キャッシュレス投票装置２１は、カード利用者データベース１５から受信した払戻金額の残高の範囲内で、利用者による投票原資へ充当する払戻金の入力を受け付ける。
【００６７】
利用者による払戻金の投票原資への充当の入力を受け付けると、キャッシュレス投票装置２１は、その入力された充当金額をカード利用者データベース１５に送信する。カード利用者データベース１５は、払戻金額の残高からキャッシュレス投票装置２１から受信した充当金額を減じ、減じた後の残高を払戻金額の新たな残高として格納する。また、カード利用者データベース１５は、投票原資口座の残高にキャッシュレス投票装置２１から受信した充当金額を充当し、充当後の新たな残高を投票原資口座の残高として格納する。こうして格納された新たな払戻金額および投票原資口座の残高は、カード利用者データベース１５から現金自動入出装置２４またはキャッシュレス投票装置２１に送信される。
【００６８】
上述した投票原資口座の入出金処理の履歴はカード利用者データベース１５に保持されており、最終的に、カード発行会社と施行者の間で、その履歴に基づく相互決済が行われる。決済日は、カード・ビジネス契約時に定められた日である。
【００６９】
（２）キャッシュレス投票処理
利用者は、キャッシュレス投票装置２１が設置されている場所まで出向いて、そこで、所持しているカード４０をキャッシュレス投票装置２１に挿入してキャッシュレス投票を行う旨の入力を行う。キャッシュレス投票を行う旨の入力がなされると、キャッシュレス投票システム２２が起動し、キャッシュレス投票装置２１、カード利用者データベース１５およびトータリゼーター・システム２３の間で以下のような手順でキャッシュレス投票処理が実行される。
【００７０】
まず、キャッシュレス投票装置２１が、上述した暗証番号確認および本人確認を行った後、利用者の投票原資口座の残高をカード利用者データベース１５に問い合わせる。この問い合わせに応じて、カード利用者データベース１５は、利用者の投票原資口座の残高をキャッシュレス投票装置２１に送信する。
【００７１】
カード利用者データベース１５から残高を受信すると、キャッシュレス投票装置２１は、キャッシュレス投票を行うことができる旨を表示して、その残高の範囲内で利用者による投票を受け付ける。利用者が残高の範囲内で投票を行うと、キャッシュレス投票装置２１は、その投票内容と投票金額をカード利用者データベース１５およびトータリゼーター・システム２３に送信する。投票後、利用者が、投票を終了する旨の入力を行うと、キャッシュレス投票装置２１は、挿入されているカード４０を利用者に返却する。
【００７２】
競技が終了すると、トータリゼーター・システム２３は、その競技結果に基づく払戻金を計算し、その計算した払戻金額を競技結果と一緒にキャッシュレス投票装置２１へ送信する。キャッシュレス投票装置２１は、トータリゼーター・システム２３から受信した払戻金額および競技結果をカード利用者データベース１５へ送信する。カード利用者データベース１５は、キャッシュレス投票装置２１から受信した投票内容、払戻金額および競技結果を格納するとともに、投票原資口座の残高からキャッシュレス投票装置２１から受信した投票金額を減じ、減じた後の残高を投票原資口座の最新の残高として格納する。
【００７３】
上述したキャッシュレス投票処理の履歴はカード利用者データベース１５に保持されており、最終的に、カード発行会社と施行者の間で、その履歴に基づく相互決済が行われる。決済日は、カード・ビジネス契約時に定められた日である。
【００７４】
（３）キャッシュレス払戻処理
利用者は、キャッシュレス投票装置２１または現金自動入出装置２４が設置されている場所まで出向いて、そこで、所持しているカード４０をキャッシュレス投票装置２１または現金自動入出装置２４に挿入してキャッシュレス払戻を行う旨の入力を行う。キャッシュレス払戻を行う旨の入力がなされると、キャッシュレス払戻システム２５が起動し、キャッシュレス投票装置２１または現金自動入出装置２４とカード利用者データベース１５の間で以下のような手順でキャッシュレス払戻処理が実行される。キャッシュレス投票装置２１と現金自動入出装置２４のいずれにおいても、同様な手順でキャッシュレス払戻処理が行われるので、ここではキャッシュレス投票装置２１を使用する場合を例に挙げて動作を説明する。
【００７５】
まず、キャッシュレス投票装置２１が、上述した暗証番号確認および本人確認を行った後、その利用者の払戻金額の残高をカード利用者データベース１５へ問い合わせる。カード利用者データベース１５は、その問い合せに応じて、利用者の払戻金額の残高をキャッシュレス投票装置２１に返す。
【００７６】
カード利用者データベース１５から払戻金額の残高を受信すると、キャッシュレス投票装置２１は、キャッシュレス払戻を行うことができる旨を表示して、その残高の範囲内で、利用者による投票原資への払戻金の充当を受け付ける。利用者が払戻金額の残高の範囲内で払戻金の一部または全部を投票原資へ充当する旨の入力を行うと、キャッシュレス投票装置２１は、その入力された充当額をカード利用者データベース１５に送信する。
【００７７】
カード利用者データベース１５は、キャッシュレス投票装置２１から充当額を受信すると、まず、払戻金額の残高からその受信した充当額を減じ、減じた後の残高を払戻金額の最新の残高として格納する。続いて、カード利用者データベース１５は、投票原資口座の残高に受信した充当額を充当し、充当後の残高を投票原資口座の最新の残高として格納する。そして、カード利用者データベース１５は、払戻金の充当が完了した旨の通知を、払戻金額および投票原資口座の最新の残高と一緒にキャッシュレス投票装置２１に送信する。
【００７８】
キャッシュレス投票装置２１は、カード利用者データベース１５から払戻金充当完了通知を受信すると、払戻金の充当が正常に行われた旨のメッセージをカード利用者データベース１５から受信した払戻金額および投票原資口座の最新の残高と一緒に表示する。この表示を確認後、利用者が、キャッシュレス払戻を終了する旨の入力を行うと、キャッシュレス投票装置２１は、挿入されているカード４０を利用者に返却する。
【００７９】
上述したキャッシュレス払戻処理の履歴はカード利用者データベース１５に保持されており、最終的に、カード発行会社と施行者の間で、その履歴に基づく相互決済が行われる。決済日は、カード・ビジネス契約時に定められた日である。
【００８０】
（４）現金による払戻処理
利用者は、現金自動入出装置２４が設置されている場所まで出向いて、そこで、所持しているカード４０を現金自動入出装置２４に挿入して現金で払戻金を受け取る旨の入力を行う。現金で払戻金を受け取る旨の入力がなされると、現金自動入出装置２４は、上述した暗証番号確認および本人確認を行った後、その利用者の払戻金額の残高をカード利用者データベース１５へ問い合わせる。この問い合わせに応じて、カード利用者データベース１５が利用者の払戻金額の残高を現金自動入出装置２４に送信する。
【００８１】
カード利用者データベース１５から払戻金額の残高を受信すると、現金自動入出装置２４は、払戻を行うことができる旨を表示して、その残高の範囲内で、利用者への払戻を受け付ける。利用者が、現金自動入出装置２４上で、払戻金額の残高の範囲内で引き出し額を入力すると、現金自動入出装置２４は、その入力された引き出し額をカード利用者データベース１５に送信する。カード利用者データベース１５は、払戻金額の残高から現金自動入出装置２４から受信した引き出し額を減じ、減じた後の残高を払戻金額の最新の残高として格納するとともに、引き出しが完了した旨の通知をその最新の残高と一緒に現金自動入出装置２４に送信する。
【００８２】
現金自動入出装置２４は、カード利用者データベース１５から引き出しが完了した旨の通知を受信すると、自装置内に予め用意されている現金から引き出し額に相当する現金を取り出して現金取り出し口にセットするとともに、カード利用者データベース１５から受信した最新の残高を記載した記録紙を出力する。なお、利用者が払戻金額の残高を超える引き出し額を入力した場合は、現金自動入出装置２４は、残高が不足している旨のメッセージを表示する。
【００８３】
上述した現金による払戻処理の履歴はカード利用者データベース１５に保持されており、最終的に、カード発行会社と施行者の間で、その履歴に基づく相互決済が行われる。決済日は、カード・ビジネス契約時に定められた日である。
【００８４】
以上のキャッシュレス投票／払戻処理および現金での払戻処理によれば、払戻金はカード利用者データベース１５に格納され、利用者は、その格納された払戻金から、必要なときに必要な金額を投票原資に充当したり、現金で引き出したりすることができる。よって、払戻金を当日に清算する必要がなくなり、利用者は、投票日（的中日）以降であっても自由に払戻金を受け取ることができる。また、一般の現金での払戻を受ける場合には、その請求権の有効期限は的中日から６０日以内とされるが、本処理によれば、そのような有効期限の概念自体も必要なくなる。
【００８５】
（５）付加価値サービス処理
付加価値サービス・システム１４は、カード利用者データベース１５に格納されている利用者の投票金額、投票回数、投票の日時から、投票金額の合計、投票の頻度および投票の近日性を計算し、この計算結果が予め定めた一定条件を満たす場合に特典ポイント（ボーナスポイント）を利用者に対して付与するとともに、この付与した特典ポイントを金額に換算し、その換算した金額をカード利用者データベース１５に送信する。カード利用者データベース１５は、投票原資口座の残高に付加価値サービス・システム１４から受信した換算金額を充当し、該充当後の残高を投票原資口座の最新の残高として格納する。この付加価値サービス・システム１４による付加価値サービス処理は、一定期間ごと、例えば一ヶ月ごとに行われる。この付加価値サービス処理により、利用者のカード利用意欲を向上させるとともに、利用者へのサービス向上を図ることができる。
【００８６】
（６）口座振替処理
（６−ａ）指定銀行口座から投票原資口座への引き落とし（投資原資の充当）
利用者が、現金自動入出装置２４にカード４０を挿入して指定銀行口座から投票原資口座への引き落としを行う旨の入力を行うと、銀行口座振替システム１２が起動し、現金自動入出装置２４とカード利用者データベース１５と銀行端末３０との間で以下のような引き落とし処理が実行される。
【００８７】
まず、現金自動入出装置２４が、上述した暗証番号の確認および本人確認を行った後、利用者に対して、引き落とし額（充当額）の入力を要求する。この要求に応じて、利用者が引き落とし額（充当額）を入力すると、現金自動入出装置２４は、その入力された引き落とし額（充当額）をカード利用者データベース１５に送信する。
【００８８】
カード利用者データベース１５は、現金自動入出装置２４から受信した引き落とし額を銀行端末３０に送信するとともに、投票原資口座の残高にその受信した引き落とし額を充当し、充当後の残高を投票原資口座の最新の残高として格納する。そして、カード利用者データベース１５は、引き落としが完了した旨の通知をその最新の残高と一緒に現金自動入出装置２４に送信する。
【００８９】
現金自動入出装置２４は、カード利用者データベース１５から引き落としが完了した旨の通知を受信すると、指定銀行口座から投票原資口座への引き落としが正常に行われた旨のメッセージをカード利用者データベース１５から受信した最新の残高と一緒に出力（表示または記録紙の出力）するとともに、挿入されているカード４０を利用者へ返却する。銀行端末３０は、口座振替契約時に定められた引き落とし日に、利用者の指定銀行口座からカード利用者データベース１５から受信した引き落とし額を引き落とす処理を行う。
【００９０】
（６−ｂ）投票原資口座から指定銀行口座への振り込み
利用者が、現金自動入出装置２４にカード４０を挿入して投票原資口座から指定銀行口座への振り込みを行う旨の入力を行うと、銀行口座振替システム１２が起動し、現金自動入出装置２４とカード利用者データベース１５と銀行端末３０との間で以下のような振り込み処理が実行される。
【００９１】
まず、現金自動入出装置２４が、上述した暗証番号の確認および本人確認を行った後、利用者に対して、振り込み額の入力を要求する。この要求に応じて、利用者が振り込み額を入力すると、現金自動入出装置２４は、その入力された振り込み額をカード利用者データベース１５に送信する。
【００９２】
カード利用者データベース１５は、現金自動入出装置２４から受信した振り込みを銀行端末３０に送信するとともに、投票原資口座の残高からその受信した振り込み額を減じ、減じた後の残高を投票原資口座の最新の残高として格納する。そして、カード利用者データベース１５は、振り込みが完了した旨の通知をその最新の残高と一緒に現金自動入出装置２４に送信する。
【００９３】
現金自動入出装置２４は、カード利用者データベース１５から振り込みが完了した旨の通知を受信すると、投票原資口座から指定銀行口座への振り込みが正常に行われた旨のメッセージをカード利用者データベース１５から受信した最新の残高と一緒に出力（表示または記録紙の出力）するとともに、挿入されているカード４０を利用者へ返却する。銀行端末３０は、口座振替契約時に定められた振り込み日に、利用者の指定銀行口座にカード利用者データベース１５から受信した振り込み額を充当する処理を行う。
【００９４】
上述した口座振替処理の履歴はカード利用者データベース１５に保持されており、最終的に、カード発行会社と施行者の間、カード発行会社と銀行の間で、その履歴に基づく相互決済が行われる。カード発行会社と施行者の間の決済日は、カード・ビジネス契約時に定められた日であり、カード発行会社と銀行の間の決済日は、口座振替契約時に定められた日である。
【００９５】
以上の口座振替処理によれば、利用者は、現金自動入出装置２４の稼働期間であれば、自由に指定銀行口座から投票原資口座へ必要な金額を充当したり、投票原資口座から指定銀行口座へ必要な金額を振り込んだりすることができるので、利用者に対する利便性がさらに向上する。
【００９６】
以上説明した本実施形態の公営競技情報システムにおいて、図１には、加盟店側システム２０は１つしか示されていないが、異なる施行者によって使用される複数の加盟店側システムを有していてもよい。このように構成することで、利用者は、異なる施行者によって開催されている公営競技において、同じカードを使用して、キャッシュレスでの投票や払戻、現金での払戻およびその払戻金の投票原資への充当などを行うことができる。
【００９７】
また、本実施形態の公営競技情報システムにおいて、上述した「（１）投票原資口座の入出金処理」、「（２）キャッシュレス投票処理」、「（３）キャッシュレス払戻処理」、「（４）現金による払戻処理」、「（５）付加価値サービス処理」および「（６）口座振替処理」の各処理は、基本的には、それぞれのシステムおよび装置のコンピュータが予めインストールされたプログラムを実行することによって実現される。
【００９８】
（他の実施形態）
図２に、本発明の他の実施形態の公営競技情報システムの概略構成を示す。この公営競技情報システムは、図１に示したシステムに、カード発行会社とカード・ビジネス契約（加盟店契約）を結んだ業者によって使用される加盟店端末５０を加えたものである。加盟店端末５０は、サーバやパーソナル・コンピュータに代表されるコンピュータ・システムであって、業者が運用する店舗または施設に配置されており、専用回線を介してカード発行会社側システム１０と接続されている。加盟店端末５０は、カード決済に必要な処理機能を有しており、投票原資口座の残高の範囲内でカード利用による商品・サービスの買い入れが可能になっている。
【００９９】
利用者は、加盟店端末５０が設置されている店舗または施設に出向いて所持しているカード４０で商品・サービスの買い入れを行い、その代価をカード決済する。カード決済では、加盟店端末５０において、カード４０が挿入され、カード決済に必要な情報（暗証番号、買い入れ額など）の入力および操作が行われる。加盟店端末５０は、入力された暗証番号と挿入されたカード４０から読み取った暗証番号とが合致するかどうかを調べる（暗証番号確認）。合致した場合は、加盟店端末５０は、その暗証番号を入力された買い入れ額および挿入されたカード４０から読み取った登録番号と一緒にカード利用者データベース１５に送信する。合致しなかった場合は、現金自動入出装置２４は、入力した暗証番号が間違えている旨のメッセージを表示し、再度、利用者に対して暗証番号の入力を要求する。暗証番号の再入力が可能な回数は、例えば３回までである。
【０１００】
カード利用者データベース１５は、加盟店端末５０から受信した登録番号および暗証番号が予め格納されている登録番号および暗証番号と合致するかを調べる。合致しなかった場合は、カード利用者データベース１５は、その旨の通知を加盟店端末５０に送信する。加盟店端末５０は、カード利用者データベース１５から合致しなかった旨の通知を受信すると、カード決済が異常終了した旨を出力（表示または記録紙の出力）する。合致した場合は、カード利用者データベース１５は、利用者の投票原資口座の残高から加盟店端末５０から受信した買い入れ額を減じ、減じた後の残高を投票原資口座の最新の残高として格納するとともに、カード決済が完了した旨の通知をその最新の残高と一緒に加盟店端末５０に送信する。なお、加盟店端末５０から受信した買い入れ額が利用者の投票原資口座の残高を超えていた場合は、その旨の通知を加盟店端末５０に送信する。加盟店端末５０は、買い入れ額が投票原資口座の残高を超えていた旨の通知をカード利用者データベース１５から受信すると、カード決済が異常終了した旨を出力（表示または記録紙の出力）する。
【０１０１】
上述のカード決済の処理の履歴はカード利用者データベース１５に保持されており、最終的に、カード発行会社と施行者の間、カード発行会社と業者の間、施行者と業者の間で、その履歴に基づく相互決済が行われる。それぞれの決済日は、カード・ビジネス契約時に定められた日である。
【０１０２】
本実施形態の公営競技情報システムによれば、利用者は、１枚のカードで、キャッシュレス投票／払戻やカード決済を行うことができ、カード決済の支払いには、投票原資（払戻金や特典ポイントを含む）が当てられるので、利用者に対する利便性がさらに向上する。
【図面の簡単な説明】
【０１０３】
【図１】本発明の一実施形態である公営競技情報システムの概略構成を示すブロック図である。
【図２】本発明の他の実施形態である公営競技情報システムの概略構成を示すブロック図である。
【符号の説明】
【０１０４】
１０  カード発行会社側システム
１１  カード利用契約システム
１２  銀行口座振替システム
１３  アカウント管理システム
１４  付加価値サービス・システム
１５  カード利用者データベース
２０  加盟店側システム
２１  キャッシュレス投票装置
２２  キャッシュレス投票システム
２３  トータリゼーター・システム
２４  現金自動入出装置
２５  キャッシュレス払戻システム
３０  銀行端末
４０  カード
５０  加盟店端末
【図１】
2005092350.tif 000003
【図２】
2005092350.tif 000004